【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】  式(１)
【化１】
2000212157.tif 000001
の化合物またはその医薬的に許容し得る塩またはＣ1-6エステル。
上記式において、
Ｗは、ＯＲ1、ＮＲ2ＯＲ1、ＮＲAＲB、ＮＲ2ＮＲAＲB、またはＮＲ2(ＣＨ2)2-4ＮＲAＲBであり；
Ｒ1は、Ｈ、Ｃ1-8アルキル、Ｃ3-8アルケニル、Ｃ3-8アルキニル、Ｃ3-8シクロアルキル、フェニル、(フェニル)Ｃ1-4アルキル、(フェニル)Ｃ3-4アルケニル、(フェニル)Ｃ3-4アルキニル、(Ｃ3-8シクロアルキル)Ｃ1-4アルキル、(Ｃ3-8シクロアルキル)Ｃ3-4アルケニル、(Ｃ3-8シクロアルキル)Ｃ3-4アルキニル、Ｃ3-8複素環式基、(Ｃ3-8複素環式基)Ｃ1-4アルキル、(Ｃ3-8複素環式基)Ｃ3-4アルケニル、(Ｃ3-8複素環式基)Ｃ3-4アルキニルまたは(ＣＨ2)2-4ＮＲAＲBであり；
Ｒ2は、Ｈ、フェニル、Ｃ1-4アルキル、Ｃ3-4アルケニル、Ｃ3-8アルキニル、Ｃ3-8シクロアルキルまたは(Ｃ3-8シクロアルキル)Ｃ1-4アルキルであり；
ＲAは、Ｈ、Ｃ1-6アルキル、Ｃ3-8アルケニル、Ｃ3-8アルキニル、Ｃ3-8シクロアルキル、フェニル、(Ｃ3-8シクロアルキル)Ｃ1-4アルキル、(Ｃ3-8シクロアルキル)Ｃ3-4アルケニル、(Ｃ3-8シクロアルキル)Ｃ3-4アルキニル、Ｃ3-8複素環式基、(Ｃ3-8複素環式基)Ｃ1-4アルキル、（アミノスルホニル）フェニル、〔(アミノスルホニル）フェニル〕Ｃ1-4アルキル、(アミノスルホニル)Ｃ1-6アルキル、(アミノスルホニル)Ｃ3-6シクロアルキ
ルまたは〔(アミノスルホニル)Ｃ3-6シクロアルキル〕Ｃ1-4アルキルであり；
ＲBは、Ｈ、Ｃ1-8アルキル、Ｃ3-8アルケニル、Ｃ3-8アルキニル、Ｃ3-8シクロアルキルまたはＣ6-8アリールであり；
Ｒ3は、Ｈ、Ｆ、Ｃｌ、ＢｒまたはＮＯ2であり；
Ｒ4は、ＨまたはＦであり；
Ｒ5は、Ｈ、メチルまたはＣｌであり；
Ｒ6は、Ｈ、Ｃ1-4アルキル、ヒドロキシエチル、ヒドロキシプロピル、(ＣＨ2)2-4(ＮＲCＲD)、フェニル、２−ピリジル、３−ピリジル、４−ピリジルまたはＣＨ2Ａｒ（式中、Ａｒは、フェニル、２−ピリジル、３−ピリジルまたは４−ピリジルである）であり；
Ｒ7は、Ｈ、Ｃ1-4アルキル、ヒドロキシエチル、ヒドロキシプロピル、(ＣＨ2)2-4(ＮＲCＲD)、フェニル、２−ピリジル、３−ピリジル、４−ピリジルまたはＣＨ2Ａｒ（式中、Ａｒは、フェニル、２−ピリジル、３−ピリジルまたは４−ピリジルである）であり；
ＲCおよびＲDのそれぞれは、独立して、Ｈ、Ｃ1-6アルキル、Ｃ3-4アルケニル、Ｃ3-4アルキニル、Ｃ3-6シクロアルキル、Ｃ3-6複素環式基およびフェニルから選択されたものであり；そしてＮＲCＲDはまた、モルホリニル、ピペラジニル、ピロリジニルまたはピペリジニルから選択することができ；
上述したそれぞれの炭化水素基または複素環式基は、場合によって、独立してハロゲン、Ｃ1-4アルキル、Ｃ3-6シクロアルキル、Ｃ2-4アルケニル、Ｃ2-4アルキニル、フェニル、ヒドロキシ、アミノ、（アミノ）スルホニルおよびＮＯ2から選択された１〜３個の置換分によって置換されていてもよく；そして、それぞれの置換分アルキル、シクロアルキル、アルケニル、アルキニルまたはフェニルは、場合によっては、独立してハロゲン、Ｃ1-2アルキル、ヒドロキシ、アミノおよびＮＯ2から選択された１〜３個の置換分によって置換されていてもよい。
【請求項２】  スルファモイル基が、Ｗ(ＣＯ)−に対してメタそして架橋ＮＨに対してパラの位置にある請求項１記載の化合物。
【請求項３】  スルファモイル基がＷ(ＣＯ)−に対してパラそして架橋ＮＨに対してメタの位置にある請求項１記載の化合物。
【請求項４】  Ｒ4が弗素である請求項１記載の化合物。
【請求項５】  Ｒ3が弗素である請求項１記載の化合物。
【請求項６】  Ｒ3がＨである請求項１記載の化合物。
【請求項７】  ＷがＯＨである請求項１記載の化合物。
【請求項８】  ＷがＮＲ2ＯＲ1である請求項１記載の化合物。
【請求項９】  Ｒ3およびＲ4のそれぞれが弗素である請求項７記載の化合物。
【請求項１０】  Ｒ1が少なくとも１個のヒドロキシ置換分を有する請求項１記載の化合物。
【請求項１１】  Ｒ1がＨ、メチル、エチル、プロピル、イソプロピル、イソブチル、ベンジル、フェネチル、アリル、Ｃ3-5アルケニル、Ｃ3-5アルキニル、Ｃ3-6シクロアルキル、（Ｃ3-5シクロアルキル）Ｃ1-2アルキルまたは（Ｃ3-5複素環式基）Ｃ1-2アルキルである請求項１記載の化合物。
【請求項１２】  Ｒ1が、Ｈまたは（Ｃ3-4シクロアルキル）Ｃ1-2アルキルである請求項１１記載の化合物。
【請求項１３】  Ｒ2が、Ｈ、メチル、Ｃ3-4アルキニル、Ｃ3-5シクロアルキルまたは（Ｃ3-5シクロアルキル）メチルである請求項１記載の化合物。
【請求項１４】  ＲAが、Ｈ、メチル、エチル、イソブチル、ヒドロキシエチル、ヒドロキシプロピル、シクロプロピルメチル、シクロブチルメチル、Ｃ3-4アルキニル、フェニル、２−ピペリジン−１−イル−エチル、２,３−ジヒドロキシ−プロピル、３−〔４−（２−ヒドロキシエチル）−ピペラジン−１−イル〕−プロピル、２−ピロリジン−１−イル−エチルまたは２−ジエチルアミノ−エチルであり；そしてＲBがＨであるか；またはＲBがメチルでありそしてＲAがフェニルである請求項１記載の化合物。
【請求項１５】  Ｒ7が(ＣＨ2)2-4(ＮＲCＲD)である請求項１記載の化合物。
【請求項１６】  ＮＲCＲDがモルホリニル、ピペラジニル、ピロリジニルまたはピペリジニルから選択されたものである請求項１記載の化合物。
【請求項１７】  Ｒ5がメチルまたは塩素である請求項１記載の化合物。
【請求項１８】  構造：２−（２−クロロ−４−ヨード−フェニルアミノ）−４−スルファモイル−安息香酸；２−（２−クロロ−４−ヨード−フェニルアミノ）−Ｎ−ヒドロキシ−４−スルファモイル−ベンズアミド；２−（２−クロロ−４−ヨード−フェニルアミノ）−Ｎ−シクロプロピルメトキシ−４−スルファモイル−ベンズアミド；２−（２−クロロ−４−ヨード−フェニルアミノ）−４−（２−モルホリン−４−イル−エチルスルファモイル）−安息香酸；２−（２−クロロ−４−ヨード−フェニルアミノ）−Ｎ−ヒドロキシ−４−（２−モルホリン−４−イル−エチルスルファモイル）−ベンズアミド；２−（２−クロロ−４−ヨード−フェニルアミノ）−Ｎ−シクロプロピルメトキシ−４−（２−モルホリン−４−イル−エチルスルファモイル）−ベンズアミド；２−（２−クロロ−４−ヨード−フェニルアミノ）−３,４−ジフルオロ−５−スルファモイル−安息香酸；２−（２−クロロ−４−ヨード−フェニルアミノ）−３,４−ジフルオロ−Ｎ−ヒドロキシ−５−スルファモイル−ベンズアミド；２−（２−クロロ−４−ヨード−フェニルアミノ）−Ｎ−シクロプロピルメトキシ−３,４−ジフルオロ−５−スルファモイル−ベンズアミド；２−（２−クロロ−４−ヨード−フェニルアミノ）−３,４−ジフルオロ−５−（２−モルホリン−４−イル−エチルスルファモイル）−安息香酸；２−（２−クロロ−４−ヨード−フェニルアミノ）−３,４−ジフルオロ−Ｎ−ヒドロキシ−５−（２−モルホリン−４−イル−エチルスルファモイル）−ベンズアミド；２−（２−クロロ−４−ヨード−フェニルアミノ）−Ｎ−シクロプロピルメトキシ−３,４−ジフルオロ−５−（２−モルホリン−４−イル−エチルスルファモイル）−ベンズアミド；５−（ビス−ピリジン−３−イルメチル−スルファモイル）−３,４−ジフルオロ−２−（４−ヨード−フェニルアミノ）−安息香酸；５−（ビス−ピリジン−３−イルメチル−スルファモイル）−Ｎ−シクロプロピルメトキシ−３,４−ジフルオロ−２−（４−ヨード−フェニルアミノ）−ベンズアミド；Ｎ−シクロプロピルメトキシ−３,４−ジフルオロ−２−（４−ヨード−フェニルアミノ）−５−（メチル−ピリジン−３−イルメチル−スルファモイル）−ベンズアミド；Ｎ−シクロプロピルメトキシ−３,４−ジフルオロ−２−（４−ヨード−フェニルアミノ）−５−〔(ピリジン−３−イルメチル)−スルファモイル〕−ベンズアミド；Ｎ−シクロプロピルメトキシ−５−〔(３−ジエチルアミノ−プロピル)−ピリジン−３−イルメチル−スルファモイル〕−３,４−ジフルオロ−２−（４−ヨード−フェニルアミノ）−ベンズアミド；Ｎ−シクロプロピルメトキシ−３,４−ジフルオロ−５−〔(３−ヒドロキシ−プロピル)−ピリジン−３−イルメチル−スルファモイル〕−２−（４−ヨード−フェニルアミノ）−ベンズアミド；Ｎ−シクロプロピルメトキシ−５−（エチル−ピリジン−３−イルメチル−スルファモイル）−３,４−ジフルオロ−２−（４−ヨード−フェニルアミノ）−ベンズアミド；Ｎ−シクロプロピルメトキシ−３,４−ジフルオロ−５−〔(２−ヒドロキシ−エチル)−ピリジン−３−イルメチル−スルファモイル〕−２−（４−ヨード−フェニルアミノ）−ベンズアミド；５−（ビス−ピリジン−２−イルメチル−スルファモイル）−３,４−ジフルオロ−２−（４−ヨード−フェニルアミノ）−安息香酸；５−（ビス−ピリジン−２−イルメチル−スルファモイル）−Ｎ−シクロプロピルメトキシ−３,４−ジフルオロ−２−（４−ヨード−フェニルアミノ）−ベンズアミド；Ｎ−シクロプロピルメトキシ−３,４−ジフルオロ−２−（４−ヨード−フェニルアミノ）−５−（メチル−ピリジン−２−イルメチル−スルファモイル）−ベンズアミド；Ｎ−シクロプロピルメトキシ−３,４−ジフルオロ−２−（４−ヨード−フェニルアミノ）−５−〔(ピリジン−２−イルメチル)−スルファモイル〕−ベンズアミド；５−（ビス−ピリジン−３−イルメチル−スルファモイル）−３,４−ジフルオロ−２−（４−ヨード−２−メチル−フェニルアミノ）−安息香酸；５−（ビス−ピリジン−３−イルメチル−スルファモイル）−Ｎ−シクロプロピルメトキシ−３,４−ジフルオロ−２−（４−ヨード−２−メチル−フェニルアミノ）−ベンズアミド；Ｎ−シクロプロピルメトキシ−３,４−ジフルオロ−２−（４−ヨード−２−メチル−フェニルアミノ）−５−（メチル−ピリジン−３−イルメチル−スルファモイル）−ベンズアミド；Ｎ−シクロプロピルメトキシ−３,４−ジフルオロ−２−（４−ヨード−２−メチル−フェニルアミノ）−５−〔(ピリジン−３−イルメチル)−スルファモイル〕−ベンズアミド；Ｎ−シクロプロピルメトキシ−５−〔(３−ジエチルアミノ−プロピル)−ピリジン−３−イルメチル−スルファモイル〕−３,４−ジフルオロ−２−（４−ヨード−２−メチル−フェニルアミノ）−ベンズアミド；Ｎ−シクロプロピルメトキシ−３,４−ジフルオロ−５−〔(３−ヒドロキシ−プロピル)−ピリジン−３−イルメチル−スルファモイル〕−２−（４−ヨード−２−メチル−フェニルアミノ）−ベンズアミド；Ｎ−シクロプロピルメトキシ−５−（エチル−ピリジン−３−イルメチル−スルファモイル）−３,４−ジフルオロ−２−（４−ヨード−２−メチル−フェニルアミノ）−ベンズアミド；Ｎ−シクロプロピルメトキシ−３,４−ジフルオロ−５−〔(２−ヒドロキシ−エチル)−ピリジン−３−イルメチル−スルファモイル）−２−（４−ヨード−２−メチル−フェニルアミノ）−ベンズアミド；５−（ビス−ピリジン−２−イルメチル−スルファモイル）−３,４−ジフルオロ−２−（４−ヨード−２−メチル−フェニルアミノ）−安息香酸；５−（ビス−ピリジン−２−イルメチル−スルファモイル）−Ｎ−シクロプロピルメトキシ−３,４−ジフルオロ−２−（４−ヨード−２−メチル−フェニルアミノ）−ベンズアミド；Ｎ−シクロプロピルメトキシ−３,４−ジフルオロ−２−（４−ヨード−２−メチル−フェニルアミノ）−５−（メチル−ピリジン−２−イルメチル−スルファモイル）−ベンズアミド；Ｎ−シクロプロピルメトキシ−３,４−ジフルオロ−２−（４−ヨード−２−メチル−フェニルアミノ）−５−〔(ピリジン−２−イルメチル)−スルファモイル〕−ベンズアミド；５−（ビス−ピリジン−３−イルメチル−スルファモイル）−２−（２−クロロ−４−ヨード−フェニルアミノ）−３,４−ジフルオロ−安息香酸；５−（ビス−ピリジン−３−イ���メチル−スルファモイル）−２−（２−クロロ−４−ヨード−フェニルアミノ）−Ｎ−シクロプロピルメトキシ−３,４−ジフルオロ−ベンズアミド；２−（２−クロロ−４−ヨード−フェニルアミノ）−Ｎ−シクロプロピルメトキシ−３,４−ジフルオロ−５−（メチル−ピリジン−３−イルメチル−スルファモイル）−ベンズアミド；２−（２−クロロ−４−ヨード−フェニルアミノ）−Ｎ−シクロプロピルメトキシ−３,４−ジフルオロ−５−〔(ピリジン−３−イルメチル)−スルファモイル〕−ベンズアミド；２−（２−クロロ−４−ヨード−フェニルアミノ）−Ｎ−シクロプロピルメトキシ−５−〔(３−ジエチルアミノ−プロピル)−ピリジン−３−イルメチル−スルファモイル〕−３,４−ジフルオロ−ベンズアミド；２−（２−クロロ−４−ヨード−フェニルアミノ）−Ｎ−シクロプロピルメトキシ−３,４−ジフルオロ−５−〔(３−ヒドロキシ−プロピル）−ピリジン−３−イルメチル−スルファモイル〕ベンズアミド；２−（２−クロロ−４−ヨード−フェニルアミノ）−Ｎ−シクロプロピルメトキシ−５−（エチル−ピリジン−３−イルメチル−スルファモイル）−３,４−ジフルオロ−ベンズアミド；２−（２−クロロ−４−ヨード−フェニルアミノ）−Ｎ−シクロプロピルメトキシ−３,４−ジフルオロ−５−〔(２−ヒドロキシ−エチル）−ピリジン−３−イルメチル−スルファモイル〕ベンズアミド；５−（ビス−ピリジン−２−イルメチル−スルファモイル）−２−（２−クロロ−４−ヨード−フェニルアミノ）−３,４−ジフルオロ−安息香酸；５−（ビス−ピリジン−２−イルメチル−スルファモイル）−２−（２−クロロ−４−ヨード−フェニルアミノ）−Ｎ−シクロプロピルメトキシ−３,４−ジフルオロ−ベンズアミド；２−（２−クロロ−４−ヨード−フェニルアミノ）−Ｎ−シクロプロピルメトキシ−３,４−ジフルオロ−５−（メチル−ピリジン−２−イルメチル−スルファモイル）−ベンズアミド；２−（２−クロロ−４−ヨード−フェニルアミノ）−Ｎ−シクロプロピルメトキシ−３,４−ジフルオロ−５−〔(ピリジン−２−イルメチル)−スルファモイル〕−ベンズアミド；Ｎ−シクロプロピルメトキシ−３,４−ジフルオロ−５−〔(３−ヒドロキシ−プロピル)−ピリジン−２−イルメチル−スルファモイル〕−２−（４−ヨード−フェニルアミノ）−ベンズアミド；Ｎ−シクロプロピルメトキシ−３,４−ジフルオロ−５−〔(２−ヒドロキシ−エチル)−ピリジン−２−イルメチル−スルファモイル〕−２−（４−ヨード−フェニルアミノ）−ベンズアミド；５−（ベンジル−ピリジン−２−イルメチル−スルファモイル）−Ｎ−シクロプロピルメトキシ−３,４−ジフルオロ−２−（４−ヨード−フェニルアミノ）−ベンズアミド；Ｎ−シクロプロピルメトキシ−３,４−ジフルオロ−２−（４−ヨード−フェニルアミノ）−５−〔(ピリジン−４−イルメチル)−スルファモイル〕−ベンズアミド；Ｎ−シクロプロピルメトキシ−５−（エチル−ピリジン−４−イルメチル−スルファモイル）−３,４−ジフルオロ−２−（４−ヨード−フェニルアミノ）−ベンズアミド；Ｎ−シクロプロピルメトキシ−３,４−ジフルオロ−２−（４−ヨード−フェニルアミノ）−５−（メチル−ピリジン−４−イルメチル−スルファモイル）−ベンズアミド；Ｎ−シクロプロピルメトキシ−３,４−ジフルオロ−５−〔(３−ヒドロキシ−プロピル)−ピリジン−４−イルメチル−スルファモイル〕−２−（４−ヨード−フェニルアミノ）−ベンズアミド；Ｎ−シクロプロピルメトキシ−３,４−ジフルオロ−５−〔(２−ヒドロキシ−エチル)−ピリジン−４−イルメチル−スルファモイル〕−２−（４−ヨード−フェニルアミノ）−ベンズアミド；Ｎ−シクロプロピルメトキシ−３,４−ジフルオロ−２−（４−ヨード−フェニルアミノ）−５−（メチル−フェニル−スルファモイル）−ベンズアミド；Ｎ−シクロプロピルメトキシ−３,４−ジフルオロ−２−（４−ヨード−フェニルアミノ）−５−フェニルスルファモイル−ベンズアミド；Ｎ−シクロプロピルメトキシ−３,４−ジフルオロ−２−（４−ヨード−フェニルアミノ）−５−（ピリジン−３−イルスルファモイル）−ベンズアミド；Ｎ−シクロプロピルメトキシ−３,４−ジフルオロ−５−〔(３−ヒドロキシ−プロピル)−ピリジン−２−イルメチル−スルファモイル〕−２−（４−ヨード−２−メチル−フェニルアミノ）−ベンズアミド；Ｎ−シクロプロピルメトキシ−３,４−ジフルオロ−５−〔(２−ヒドロキシ−エチル)−ピリジン−２−イルメチル−スルファモイル〕−２−（４−ヨード−２−メチル−フェニルアミノ）−ベンズアミド；５−（ベンジル−ピリジン−２−イルメチル−スルファモイル）−Ｎ−シクロプロピルメトキシ−３,４−ジフルオロ−２−（４−ヨード−２−メチル−フェニルアミノ）−ベンズアミド；Ｎ−シクロプロピルメトキシ−３,４−ジフルオロ−２−（４−ヨード−２−メチル−フェニルアミノ）−５−〔(ピリジン−４−イルメチル)−スルファモイル〕−ベンズアミド；Ｎ−シクロプロピルメトキシ−５−（エチル−ピリジン−４−イルメチル−スルファモイル）−３,４−ジフルオロ−２−（４−ヨード−２−メチル−フェニルアミノ）−ベンズアミド；Ｎ−シクロプロピルメトキシ−３,４−ジフルオロ−２−（４−ヨード−２−メチル−フェニルアミノ）−５−（メチル−ピリジン−４−イルメチル−スルファモイル）−ベンズアミド；Ｎ−シクロプロピルメトキシ−３,４−ジフルオロ−５−〔(３−ヒドロキシ−プロピル)−ピリジン−４−イルメチル−スルファモイル〕−２−（４−ヨード−２−メチル−フェニルアミノ）−ベンズアミド；Ｎ−
シクロプロピルメトキシ−３,４−ジフルオロ−５−〔(２−ヒドロキシ−エチル)−ピリジン−４−イルメチル−スルファモイル〕−２−（４−ヨード−２−メチル−フェニルアミノ）−ベンズアミド；Ｎ−シクロプロピルメトキシ−３,４−ジフルオロ−２−（４−ヨード−２−メチル−フェニルアミノ）−５−（メチル−フェニル−スルファモイル）−ベンズアミド；Ｎ−シクロプロピルメトキシ−３,４−ジフルオロ−２−（４−ヨード−２−メチル−フェニルアミノ）−５−フェニルスルファモイル−ベンズアミド；Ｎ−シクロプロピルメトキシ−３,４−ジフルオロ−２−（４−ヨード−２−メチル−フェニルアミノ）−５−（ピリジン−３−イルスルファモイル）−ベンズアミド；２−（２−クロロ−４−ヨード−フェニルアミノ）−Ｎ−シクロプロピルメトキシ−３,４−ジフルオロ−５−〔(３−ヒドロキシ−プロピル)−ピリジン−２−イルメチル−スルファモイル〕−ベンズアミド；２−（２−クロロ−４−ヨード−フェニルアミノ）−Ｎ−シクロプロピルメトキシ−３,４−ジフルオロ−５−〔(２−ヒドロキシ−エチル)ピリジン−２−イルメチル−スルファモイル〕−ベンズアミド；５−（ベンジル−ピリジン−２−イルメチル−スルファモイル）−２−（２−クロロ−４−ヨード−フェニルアミノ）−Ｎ−シクロプロピルメトキシ−３,４−ジフルオロ−ベンズアミド；２−（２−クロロ−４−ヨード−フェニルアミノ）−Ｎ−シクロプロピルメトキシ−３,４−ジフルオロ−５−〔(ピリジン−４−イルメチル)−スルファモイル〕−ベンズアミド；２−（２−クロロ−４−ヨード−フェニルアミノ）−Ｎ−シクロプロピルメトキシ−５−（エチル−ピリジン−４−イルメチル−スルファモイル）−３,４−ジフルオロ−ベンズアミド；２−（２−クロロ−４−ヨード−フェニルアミノ）−Ｎ−シクロプロピルメトキシ−３,４−ジフルオロ−５−（メチル−ピリジン−４−イルメチル−スルファモイル）−ベンズアミド；２−（２−クロロ−４−ヨード−フェニルアミノ）−Ｎ−シクロプロピルメトキシ−３,４−ジフルオロ−５−〔(３−ヒドロキシ−プロピル)−ピリジン−４−イルメチル−スルファモイル〕−ベンズアミド；２−（２−クロロ−４−ヨード−フェニルアミノ）−Ｎ−シクロプロピルメトキシ−３,４−ジフルオロ−５−〔(２−ヒドロキシ−エチル)−ピリジン−４−イルメチル−スルファモイル〕−ベンズアミド；２−（２−クロロ−４−ヨード−フェニルアミノ）−Ｎ−シクロプロピルメトキシ−３,４−ジフルオロ−５−（メチル−フェニル−スルファモイル）−ベンズアミド；２−（２−クロロ−４−ヨード−フェニルアミノ）−Ｎ−シクロプロピルメトキシ−３,４−ジフルオロ−５−フェニルスルファモイル−ベンズアミド；２−（２−クロロ−４−ヨード−フェニルアミノ）−Ｎ−シクロプロピルメトキシ−３,４−ジフルオロ−５−（ピリジン−３−イルスルファモイル）−ベンズアミド；Ｎ−シクロプロピルメトキシ−２−（４−ヨード−フェニルアミノ）−４−フェニルスルファモイル−ベンズアミド；Ｎ−シクロプロピルメトキシ−２−（４−ヨード−フェニルアミノ）−４−（ピリジン−３−イルスルファモイル）−ベンズアミド；Ｎ−シクロプロピルメトキシ−２−（４−ヨード−フェニルアミノ）−４−〔(ピリジン−３−イルメチル)−スルファモイル〕−ベンズアミド；４−（ビス−ピリジン−３−イルメチル−スルファモイル）−Ｎ−シクロプロピルメトキシ−２−（４−ヨード−フェニルアミノ）−ベンズアミド；Ｎ−シクロプロピルメトキシ−４−〔(２−ヒドロキシ−エチル)−ピリジン−４−イルメチル−スルファモイル〕−２−（４−ヨード−フェニルアミノ）−ベンズアミド；Ｎ−シクロプロピルメトキシ−２−（４−ヨード−フェニルアミノ）−４−（メチル−ピリジン−３−イルメチル−スルファモイル）−ベンズアミド；Ｎ−シクロプロピルメトキシ−４−〔(３−ジエチルアミノ−プロピル)−ピリジン−３−イルメチル−スルファモイル〕−２−（４−ヨード−フェニルアミノ）−ベンズアミド；Ｎ−シクロプロピルメトキシ−２−（４−ヨード−２−メチル−フェニルアミノ）−４−フェニルスルファモイル−ベンズアミド；Ｎ−シクロプロピルメトキシ−２−（４−ヨード−２−メチル−フェニルアミノ）−４−（ピリジン−３−イルスルファモイル）−ベンズアミド；Ｎ−シクロプロピルメトキシ−２−（４−ヨード−２−メチル−フェニルアミノ）−４−〔(ピリジン−３−イルメチル)−スルファモイル〕−ベンズアミド；４−（ビス−ピリジン−３−イルメチル−スルファモイル）−Ｎ−シクロプロピルメトキシ−２−（４−ヨード−２−メチル−フェニルアミノ）−ベンズアミド；Ｎ−シクロプロピルメトキシ−４−〔(２−ヒドロキシ−エチル)−ピリジン−４−イルメチル−スルファモイル〕−２−（４−ヨード−２−メチル−フェニルアミノ）−ベンズアミド；Ｎ−シクロプロピルメトキシ−２−（４−ヨード−２−メチル−フェニルアミノ）−４−（メチル−ピリジン−３−イルメチル−スルファモイル）−ベンズアミド；Ｎ−シクロプロピルメトキシ−４−〔(３−ジエチルアミノ−プロピル)−ピリジン−３−イルメチル−スルファモイル〕−２−（４−ヨード−２−メチル−フェニルアミノ）−ベンズアミド；２−（２−クロロ−４−ヨード−フェニルアミノ）−Ｎ−シクロプロピルメトキシ−４−フェニルスルファモイル−ベンズアミド；２−（２−クロロ−４−ヨード−フェニルアミノ）−Ｎ−シクロプロピルメトキシ−４−（ピリジン−３−イルスルファモイル）−ベンズアミド；２−（２−クロロ−４−ヨード−フェニルアミノ）−Ｎ−シクロプロピルメトキシ−４−〔(ピリジン−３−イルメチル)−スルファモイル〕−ベンズアミド；４−（ビス−ピリジン−３−イルメチル−スルファモイル）−２−（２−クロロ−４−ヨード−フェニルアミノ）−Ｎ−シクロプロピルメトキシ−ベンズアミド；２−（２−クロロ−４−ヨード−フェニルアミノ）−Ｎ−シクロプロピルメトキシ−４−〔(２−ヒドロキシ−エチル)−ピリジン−４−イルメチル−スルファモイル〕−ベンズアミド；２−（２−クロロ−４−ヨード−フェニルアミノ）−Ｎ−シクロプロピルメトキシ−４−（メチル−ピリジン−３−イルメチル−スルファモイル）−ベンズアミド；２−（２−クロロ−４−ヨード−フェニルアミノ）−Ｎ−シクロプロピルメトキシ−４−〔(３−ジエチルアミノ−プロピル)−ピリジン−３−イルメチル−スルファモイル〕−ベンズアミド；５−〔ビス−（４−メトキシ−ベンジル）−スルファモイル〕−２−（２−クロロ−４−ヨード−フェニルアミノ）−３,４−ジフルオロ−安息香酸；および２−（２−クロロ−４−ヨード−フェニルアミノ）−５−ジメチルスルファモイル−３,４−ジフルオロ−安息香酸メチルエステルを有する請求項１記載の化合物。
【請求項１９】  請求項１記載の化合物および医薬的に許容し得る担体からなる医薬組成物。